(57)【要約】【課題】親子照明装置において、子機の調光を連動制御し、省エネおよび環境保護を実現する。【解決手段】親子照明装置は、親機２、少なくとも１つの子機３、親機電源制御回路を含み、親機２内にさらに検出部６、ＭＣＵ制御回路５、および子機３を制御する連動電源制御回路４が設けられ、検出部６は親機周辺情報を検出し、検出した親機周辺情報を検出情報としてＭＣＵ制御回路５に送信し、ＭＣＵ制御回路５は検出部６が送信した検出情報を受信し識別し、親機電源制御回路に検出情報に対応する親機制御信号を送信し、連動電源制御回路４に検出情報に対応する子機制御信号を送信し、親機電源制御回路および連動電源制御回路４はそれぞれ親機制御信号及び子機制御信号に基づいて親機２および子機３を調節する。【選択図】図１
2019212626.tif 000002
【特許請求の範囲】
【請求項１】
親機、少なくとも１つの子機、親機電源制御回路を含み、
前記親機内にさらに検出部、ＭＣＵ制御回路、および前記子機を制御する連動電源制御回路が設けられ、
前記検出部は親機周辺情報を検出し、検出した前記親機周辺情報を検出情報として前記ＭＣＵ制御回路に送信し、
前記ＭＣＵ制御回路は前記検出部が送信した前記検出情報を受信し識別し、前記親機電源制御回路に前記検出情報に対応する親機制御信号を送信し、前記連動電源制御回路に前記検出情報に対応する子機制御信号を送信し、
前記親機電源制御回路および前記連動電源制御回路はそれぞれ前記親機制御信号および前記子機制御信号に基づいて前記親機および前記子機を調節する
親子照明装置。
【請求項２】
前記子機制御信号はＰＷＭ信号であり、前記連動電源制御回路はＴＲＩＡＣ調光回路であり、前記ＴＲＩＡＣ調光回路は前記子機に印加する電圧の大きさを変更することにより前記子機を調節し、
前記検出部は人感センサ、および光照度センサの少なくとも一方を含み、前記人感センサは人体活動情報を感知し、前記光照度センサは環境光線の強度を感知し照度検出を行い、前記ＭＣＵ制御回路は前記検出情報として受信した前記人体活動情報、および環境光線強度情報の少なくとも一方に基づいて前記子機制御信号を生成し前記子機を調節し、
前記検出部は制御モード選択スイッチを含み、当該制御モード選択スイッチは前記親子照明装置内に予め定められた複数の制御モードのうち１つを選択し，前記ＭＣＵ制御回路は前記制御モード選択スイッチにより選択された制御モードに基づいて前記子機制御信号を生成し前記子機を調節する
請求項１に記載の親子照明装置。
【請求項３】
前記子機制御信号に基づいて前記子機に対し行う調節は、前記子機を点灯する、前記子機を消灯する、前記子機の輝度を調節する、前記子機の点灯時間長を制御するという操作のうち少なくとも１つを含む
請求項２に記載の親子照明装置。
【請求項４】
前記子機は位相調光モード灯具である
請求項１〜３いずれか１項に記載の親子照明装置。
【請求項５】
前記親機制御信号に基づいて前記親機に対し行う調節は、前記親機を点灯する、前記親機を消灯する、前記親機の輝度を調節する、前記親機の点灯時間長を制御するという操作のうち少なくとも１つを含み、
前記親機制御信号はＰＷＭ信号であり、
前記親機制御信号と前記子機制御信号のデューティ比は同じあるいは異なる
請求項１に記載の親子照明装置。
【請求項６】
前記制御モード選択スイッチは回転式スイッチであり、
前記人感センサは赤外線センサである
請求項２に記載の親子照明装置。
【請求項７】
前記複数の制御モードの少なくとも一つとして、
前記環境光線強度情報を検出し、および前記人体活動情報が存在するか否かを検出し、
前記ＭＣＵ制御回路は前記環境光線強度情報と予め定められた光線閾値とを比較し、
前記人体活動情報を検出し、かつ、前記環境光線強度情報が設定された前記光線閾値内である場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項２に記載の親子照明装置。
【請求項８】
前記複数の制御モードの少なくとも一つとして、
前記環境光線強度情報を検出し、
前記ＭＣＵ制御回路は前記環境光線強度情報と予め定められた光線閾値とを比較し、
前記環境光線強度情報が設定された前記光線閾値内である場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項２に記載の親子照明装置。
【請求項９】
前記複数の制御モードの少なくとも一つとして、
前記人体活動情報が存在するか否かを検出し、
前記人体活動情報を検出した場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項２に記載の親子照明装置。
【請求項１０】
親子照明装置の制御方法であって、
前記親子照明装置は親機、少なくとも１つの子機、親機電源制御回路を含み、
前記親機内にさらに検出部、ＭＣＵ制御回路、および前記子機を制御する連動電源制御回路が設けられ、
当該親子照明装置の制御方法は以下のステップを含み、
Ｓ１：前記検出部は親機周辺情報を検出し、検出した前記親機周辺情報を検出情報として前記ＭＣＵ制御回路に送信し、
Ｓ２：前記ＭＣＵ制御回路は前記検出部が送信した前記検出情報を受信し識別し、前記親機電源制御回路に前記検出情報に対応する親機制御信号を送信し、前記連動電源制御回路に前記検出情報に対応する子機制御信号を送信し、
Ｓ３：前記親機電源制御回路および前記連動電源制御回路はそれぞれ前記親機制御信号及び前記子機制御信号に基づいて前記親機および前記子機を調節する
親子照明装置の制御方法。
【請求項１１】
前記子機制御信号はＰＷＭ信号であり、前記連動電源制御回路はＴＲＩＡＣ調光回路であり、前記ＴＲＩＡＣ調光回路は前記子機に印加する電圧の大きさを変更することにより前記子機を調節し、
前記検出部は人感センサ、および光照度センサの少なくとも一方を含み、前記人感センサは人体活動情報を感知し、前記光照度センサは環境光線の強度を感知し照度検出を行い、前記ＭＣＵ制御回路は前記検出情報として受信した前記人体活動情報、および環境光線強度情報の少なくとも一方に基づいて前記子機制御信号を生成し前記子機を調節し、
前記検出部は制御モード選択スイッチを含み、当該制御モード選択スイッチは予め定められた前記親子照明装置内の複数の制御モードのうち１つを選択し、前記ＭＣＵ制御回路は前記制御モード選択スイッチにより選択された制御モードに基づいて前記子機制御信号を生成し前記子機を調節する
請求項１０に記載の親子照明装置の制御方法。
【請求項１２】
前記子機制御信号に基づいて前記子機に対し行う調節は、前記子機を点灯する、前記子機を消灯する、前記子機の輝度を調節する、前記子機の点灯時間長を制御するという操作のうち少なくとも１つを含む
請求項１０に記載の親子照明装置の制御方法。
【請求項１３】
前記子機は位相調光モード灯具である
請求項１０〜１２いずれか１項に記載の親子照明装置の制御方法。
【請求項１４】
前記親機制御信号に基づいて前記親機に対し行う調節は、前記親機を点灯する、前記親機を消灯する、前記親機の輝度を調節する、前記親機の点灯時間長を制御するという操作のうち少なくとも１つを含み、
前記親機制御信号はＰＷＭ信号であり、
前記親機制御信号と前記子機制御信号のデューティ比は同じあるいは異なる
請求項１０に記載の親子照明装置の制御方法。
【請求項１５】
前記制御モード選択スイッチは回転式スイッチであり、
前記人感センサは赤外線センサである
請求項１１に記載の親子照明装置の制御方法。
【請求項１６】
前記複数の制御モードのうち少なくとも１つの制御モードにおいて、
前記環境光線強度情報を検出し、および前記人体活動情報が存在するか否かを検出し、
前記ＭＣＵ制御回路は前記環境光線強度情報と予め定められた光線閾値とを比較し、
前記人体活動情報を検出し、かつ、前記環境光線強度情報が設定された前記光線閾値内である場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項１１に記載の親子照明装置の制御方法。
【請求項１７】
前記複数の制御モードのうち少なくとも１つの制御モードにおいて、
前記環境光線強度情報を検出し、
前記ＭＣＵ制御回路は前記環境光線強度情報と予め定められた光線閾値とを比較し、
前記環境光線強度情報が設定された前記光線閾値内である場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項１１に記載の親子照明装置の制御方法。
【請求項１８】
前記複数の制御モードのうち少なくとも１つの制御モードにおいて、
前記人体活動情報が存在するか否かを検出し、
前記人体活動情報を検出した場合、
前記ＭＣＵ制御回路は予め定められた情報に応じてＰＷＭ値を調整し、
前記連動電源制御回路に前記検出情報に対応する前記子機制御信号を送信し、
子機点灯に対応する予め定められた輝度および予め定められた時間長を制御する
請求項１１に記載の親子照明装置の制御方法。
【請求項１９】
親子照明装置の制御方法であって、
前記親子照明装置は親機、少なくとも１つの子機、親機電源制御回路を含み、
前記親機内にさらに検出部、ＭＣＵ制御回路、および前記子機を制御する連動電源制御回路が設けられ、
前記検出部内に人感センサおよび光照度センサが設けられ、
当該親子照明装置の制御方法は以下のステップを含み、
Ｓ１：前記人感センサおよび光照度センサは、環境光線強度情報を検出し、および人体活動情報が存在するか否かを検出し、検出した前記環境光線強度情報および前記人体活動情報を検出情報として前記ＭＣＵ制御回路に送信し、
Ｓ２：前記ＭＣＵ制御回路は前記検出部が送信した前記検出情報を受信し、前記環境光線強度情報と予め定められた光線閾値とを比較し、
Ｓ３：前記人体活動情報を検出し、かつ、前記環境光線強度情報が設定された前記光線閾値内である場合、前記ＭＣＵ制御回路は予め定められた情報に応じてＰＷＭ値を調整し、前記連動電源制御回路に前記検出情報に対応する子機制御信号を送信し、前記連動電源制御回路は前記子機制御信号に基づいて前記子機を調節し、子機点灯に対応する予め定められた輝度および予め定められた時間長を制御し、
Ｓ４：前記環境光線強度情報が設定された前記光線閾値より大きい場合、前記子機を点灯しない
親子照明装置の制御方法。
【請求項２０】
親子照明装置の制御方法であって、
前記親子照明装置は親機、少なくとも１つの子機、親機電源制御回路を含み、
前記親機内にさらに検出部、ＭＣＵ制御回路、および前記子機を制御する連動電源制御回路が設けられ、
前記検出部内に人感センサおよび光照度センサが設けられ、
当該親子照明装置の制御方法は以下のステップを含み、
Ｓ１：前記光照度センサは環境光線強度情報を検出し、検出した前記環境光線強度情報を検出情報として前記ＭＣＵ制御回路に送信し、
Ｓ２：前記ＭＣＵ制御回路は前記検出部が送信した前記検出情報を受信し、前記環境光線強度情報と予め定められた光線閾値とを比較し、
Ｓ３：前記環境光線強度情報が設定された前記光線閾値内である場合、前記ＭＣＵ制御回路は予め定められた情報に応じてＰＷＭ値を調整し、前記連動電源制御回路に前記検出情報に対応する子機制御信号を送信し、前記連動電源制御回路は前記子機制御信号に基づいて前記子機を調節し、子機点灯に対応する予め定められた輝度および予め定められた時間長を制御し、
Ｓ４：前記環境光線強度情報が設定された前記光線閾値より大きい場合、前記子機を点灯しない
親子照明装置の制御方法。
【請求項２１】
親子照明装置の制御方法であって、
前記親子照明装置は親機、少なくとも１つの子機、親機電源制御回路を含み、
前記親機内にさらに検出部、ＭＣＵ制御回路、および前記子機を制御する連動電源制御回路が設けられ、
前記検出部内に人感センサが設けられ、
当該親子照明装置の制御方法は以下のステップを含み、
Ｓ１：前記人感センサは人体活動情報が存在するか否かを検出し、検出した前記人体活動情報を検出情報として前記ＭＣＵ制御回路に送信し、
Ｓ２：前記人体活動情報を検出した場合、前記ＭＣＵ制御回路は予め定められた情報に応じてＰＷＭ値を調整し、前記連動電源制御回路に検出した前記人体活動情報に対応する子機制御信号を送信し、前記連動電源制御回路は前記子機制御信号に基づいて前記子機を調節し、子機点灯に対応する予め定められた輝度および予め定められた時間長を制御する
親子照明装置の制御方法。
【請求項２２】
受信した前記検出情報に基づいて、前記ＭＣＵ制御回路はさらに前記親機電源制御回路に前記検出情報に対応する親機制御信号を送信し、前記親機制御信号に基づいて前記親機を調節する
請求項１９〜２１いずれか１項に記載の親子照明装置の制御方法。
【請求項２３】
請求項１〜９いずれか１項に記載の親子照明装置を含む
スマート照明システム。
【発明の詳細な説明】
【技術分野】
【０００１】
本発明は照明装置に関し、特に親子照明装置、親子照明装置の制御方法、および当該親子照明装置を用いるスマート照明システムに関する。
【背景技術】
【０００２】
親子照明装置は通常２つのライト組を有し、１つは子機（子照明灯具）であり、もう１つは親機（親照明灯具）であり、このように使用の必要に応じて子機をオンするか親機をオンするかを選択し、異なるケースの必要に応じて２種類以上の異なる輝度の光源を提供し、一般照明システムより多くの使用機能を有するだけでなく、多くの空間を占めなくてもよい。また、ユーザは家の門または庭に親機を設け、家のリビングまたはほかの場所に子機を設ける。親機と子機は連動制御され、親機が導通すると、子機も点灯し、親機が消灯すると、子機も消灯し子機は親機の信号を受信しＯＮ／ＯＦＦし、自ら単独でＯＮ／ＯＦＦできない。
【発明の概要】
【発明が解決しようとする課題】
【０００３】
従来の親子照明装置は一般にＯＮ／ＯＦＦ機能を有するのみで、段階調光機能がなく、環境またはユーザの必要に応じて子機の輝度を柔軟に調整したり、エネルギーを節約できないという問題が存在する。
【０００４】
本発明は、従来技術に存在する上記の問題を解決するように、親子照明装置、制御方法およびスマート照明システムを提供することを目的とする。
【課題を解決するための手段】
【０００５】
本発明は、親機、少なくとも１つの子機、親機電源制御回路を含み、前記親機内にさらに検出部、ＭＣＵ制御回路、および子機を制御する連動電源制御回路が設けられ、前記検出部は親機周辺情報を検出し、検出した前記親機周辺情報を検出情報としてＭＣＵ制御回路に送信し、前記ＭＣＵ制御回路は検出部が送信した検出情報を受信し識別し、前記親機電源制御回路に前記検出情報に対応する親機制御信号を送信し、前記連動電源制御回路に前記検出情報に対応する子機制御信号を送信し、前記親機電源制御回路および前記連動電源制御回路はそれぞれ前記親機制御信号および前記子機制御信号に基づいて親機および子機を調節する親子照明装置を提供する。
【０００６】
本発明の親子照明装置の好ましい技術形態において、子機制御信号はＰＷＭ信号であり、連動電源制御回路はＴＲＩＡＣ調光回路であり、ＴＲＩＡＣ調光回路は子機に印加する電圧の大きさを変更することにより子機を調節し、検出部は人感センサ、および光照度センサの少なくとも一方を含み、人感センサは人体活動情報を感知し、光照度センサは環境光線の強度を感知し照度検出を行い、ＭＣＵ制御回路は検出情報として受信した人体活動情報、および環境光線強度情報の少なくとも一方に基づいて子機制御信号を生成し子機を調節し、検出部は制御モード選択スイッチを含み、当該制御モード選択スイッチは親子照明装置内に予め定められた複数の制御モードのうち１つを選択し，ＭＣＵ制御回路は制御モード選択スイッチにより選択された制御モードに基づいて子機制御信号を生成し子機を調節する。
【０００７】
本発明の親子照明装置の他の好ましい技術形態において、子機制御信号または親機制御信号に基づいて子機または親機に対し行う調節は、子機または親機を点灯する、子機または親機を消灯する、子機または親機の輝度を調節する、子機または親機の点灯時間長を制御するという操作のうち少なくとも１つを含み、親機制御信号はＰＷＭ信号であり、親機制御信号と子機制御信号のデューティ比は同じあるいは異なる。
【０００８】
本発明の親子照明装置の他の好ましい技術形態において、子機は位相調光モードの灯具であり、制御モード選択スイッチは回転式スイッチであり人感センサは赤外線センサである。
【０００９】
本発明の親子照明装置の他の好ましい技術形態において、複数の制御モードの少なくとも一つとして、環境光線強度情報を検出し、および人体活動情報が存在するか否かを検出し、ＭＣＵ制御回路は環境光線強度情報と予め定められた光線閾値とを比較し、人体活動情報を検出し、かつ検出した環境光線強度情報が設定された光線閾値内である場合、ＭＣＵ制御回路は予め定められた情報に応じてＰＷＭ値を調整し、連動電源制御回路に検出情報に対応する子機制御信号を送信し、子機点灯に対応する予め定められた輝度および予め定められた時間長を制御する。
【００１０】
本発明の親子照明装置の他の好ましい技術形態において、複数の制御モードの少なくとも一つとして、環境光線強度情報を検出し、ＭＣＵ制御回路は環境光線強度情報と予め定められた光線閾値とを比較し、検出した環境光線強度情報が設定された光線閾値内である場合、ＭＣＵ制御回路は予め定められた情報に応じてＰＷＭ値を調整し、連動電源制御回路に検出情報に対応する子機制御信号を送信し、子機点灯に対応する予め定められた輝度および予め定められた時間長を制御する。
【００１１】
本発明の親子照明装置の他の好ましい技術形態において、複数の制御モードの少なくとも一つとして、人体活動情報が存在するか否かを検出し、人体活動情報を検出した場合、ＭＣＵ制御回路は予め定められた情報に応じてＰＷＭ値を調整し、連動電源制御回路に検出した人体活動情報に対応する子機制御信号を送信し、子機点灯に対応する予め定められた輝度および予め定められた時間長を制御する。
【００１２】
本発明は、親子照明装置の制御方法を提供し、親子照明装置は親機、少なくとも１つの子機、親機電源制御回路を含み、親機内にさらに検出部、ＭＣＵ制御回路、および子機を制御する連動電源制御回路が設けられ、当該制御方法は以下のステップを含む。
【００１３】
Ｓ１：検出部は親機周辺情報を検出し、検出した親機周辺情報を検出情報としてＭＣＵ制御回路に送信し、
Ｓ２：ＭＣＵ制御回路は検出部が送信した検出情報を受信し識別し、親機電源制御回路に検出情報に対応する親機制御信号を送信し、連動電源制御回路に検出情報に対応する子機制御信号を送信し、
Ｓ３：親機電源制御回路および連動電源制御回路はそれぞれ検出した前記親機制御信号および前記子機制御信号に基づいて親機および子機を調節する。
【００１４】
本発明の親子照明装置の制御方法において、好ましい１つの技術形態として、子機制御信号はＰＷＭ信号であり、連動電源制御回路はＴＲＩＡＣ調光回路であり、ＴＲＩＡＣ調光回路は子機に印加する電圧の大きさを変更することにより子機を調節し、検出部は人感センサ、および光照度センサの少なくとも一方を含み、人感センサは人体活動情報を感知し、光照度センサは環境光線の強度を感知し照度検出を行い、ＭＣＵ制御回路は受信した人体活動情報、および環境光線強度情報の少なくとも一方に基づいて子機制御信号を生成し子機を調節し、検出部は制御モード選択スイッチを含み、当該制御モード選択スイッチは予め定められた親子照明装置内の複数の制御モードのうち１つを選択し、ＭＣＵ制御回路は前記制御モード選択スイッチにより選択された制御モードに基づいて子機制御信号を生成し子機を調節する。
【００１５】
本発明は、親子照明装置の制御方法を提供し、当該制御方法を用いる親子照明装置は親機、少なくとも１つの子機、親機電源制御回路を含み、親機内にさらに検出部、ＭＣＵ制御回路、および子機を制御する連動電源制御回路が設けられ、検出部内に人感センサおよび光照度センサが設けられ、当該制御方法は以下のステップを含む。
【００１６】
Ｓ１：前記人感センサおよび光照度センサは、環境光線強度情報を検出し、および人体活動情報が存在するか否かを検出し、検出した検出情報をＭＣＵ制御回路に送信し、
Ｓ２：ＭＣＵ制御回路は検出部が送信した検出情報を受信し、前記環境光線強度情報と予め定められた光線閾値とを比較し、
Ｓ３：人体活動情報を検出し、かつ、検出した環境光線強度情報が設定された光線閾値内である場合、ＭＣＵ制御回路は検出した情報に応じてＰＷＭ値を調整し、連動電源制御回路に検出情報に対応する子機制御信号を送信し、連動電源制御回路は子機制御信号に基づいて子機を調節し、子機点灯に対応する予め定められた輝度および予め定められた時間長を制御し、
Ｓ４：環境光線強度情報が設定された光線閾値より大きい場合、子機を点灯しない。
【００１７】
本発明は、親子照明装置の制御方法を提供し、当該制御方法を用いる親子照明装置は親機、少なくとも１つの子機、親機電源制御回路を含み、親機内にさらに検出部、ＭＣＵ制御回路、および子機を制御する連動電源制御回路が設けられ、検出部内に人感センサおよび光照度センサが設けられ、当該制御方法は以下のステップを含む。
【００１８】
Ｓ１：光照度センサは環境光線強度情報を検出し、検出した検出情報をＭＣＵ制御回路に送信し、
Ｓ２：ＭＣＵ制御回路は検出部が送信した検出情報を受信し、検出した環境光線強度情報と予め定められた光線閾値とを比較し、
Ｓ３：環境光線強度情報が設定された光線閾値内である場合、ＭＣＵ制御回路は予め定められた情報に応じてＰＷＭ値を調整し、連動電源制御回路に検出情報に対応する子機制御信号を送信し、前記連動電源制御回路は前記子機制御信号に基づいて子機を調節し、子機点灯に対応する予め定められた輝度および予め定められた時間長を制御し、
Ｓ４：環境光線強度情報が設定された光線閾値より大きい場合、子機を点灯しない。
【００１９】
本発明は、親子照明装置の制御方法を提供し、当該制御方法を用いる親子照明装置は親機、少なくとも１つの子機、親機電源制御回路を含み、親機内にさらに検出部、ＭＣＵ制御回路、および子機を制御する連動電源制御回路が設けられ、検出部内に人感センサが設けられ、当該制御方法は以下のステップを含む。
【００２０】
Ｓ１：人感センサは人体活動情報が存在するか否かを検出し、検出した人体活動情報を検出情報としてＭＣＵ制御回路に送信し、
Ｓ２：人体活動情報を検出した場合、ＭＣＵ制御回路は予め定められた情報に応じてＰＷＭ値を調整し、連動電源制御回路に検出した人体活動情報に対応する子機制御信号を送信し、連動電源制御回路は子機制御信号に基づいて子機を調節し、子機点灯に対応する予め定められた輝度および予め定められた時間長を制御する。
【００２１】
本発明はスマート照明システムを提供し、当該スマート照明システムは本発明が提供するいずれかの親子照明装置を含む。
【００２２】
本発明の技術形態によると、ＬＥＤの調光技術に基づき、照明装置自体の内蔵するＭＣＵ制御回路（マイクロコントローラ）５およびＴＲＩＡＣ調光回路を用いて、照明装置輝度を柔軟に調整する目的を実現できる。
【００２３】
さらに、本発明の技術形態によると、親機に設けられた人感センサが感知した人体活動情報、および親機に設けられた環境光線センサが感知した外部光線照度情報に基づいて、子機の照明、および子機の輝度調整のオン／オフを連動して制御でき、自然光／人の有無などの情報に充分に基づいて省エネを実現し、エネルギー消耗を減少し、照明灯具の対応する使用寿命を伸ばすことができる。
【発明の効果】
【００２４】
本発明によれば、従来技術に存在する上記の問題を解決するように、親子照明装置、制御方法およびスマート照明システムを提供できる。
【図面の簡単な説明】
【００２５】
【図１】図１は本発明の親子照明装置の回路構成の模式図である。
【図２】図２は図１の検出部の構成の模式図である。
【図３（ａ）】図３（ａ）は従来技術の親子照明装置の子機に印加する電圧波形である。
【図３（ｂ）】図３（ｂ）は本発明の親子照明装置のＰＷＭ制御に基づき子機に印加する電圧波形である。
【図４（ａ）】図４（ａ）は子機多段階調光の模式図である。
【図４（ｂ）】図４（ｂ）は子機多段階調光の模式図である。
【発明を実施するための形態】
【００２６】
本発明はマイクロコントローラ（ＭＣＵ制御回路）を用いて異なるデューティ比のＰＷＭ信号を生成することにより、ＬＥＤ親子点灯機器の出力光を調整することを実現する。設定した制御モードに対応する検出情報結果を受信した場合、ＭＣＵ制御回路は対応する調光の必要に応じてＰＷＭ信号を生成し、当該ＰＷＭ信号をＴＲＩＡＣ調光回路に送信し、ＴＲＩＡＣ調光回路を用いて親子照明装置の子機を調光する。子機がＡＣ電源から取得する入力電圧値の大きさはＴＲＩＡＣ調光回路のオン時間により決定され、オン時間が長いと、有効入力電圧が高くなり、反対に、オン時間が短いと、有効入力電圧が低くなり、これにより電圧の変化を用いて灯具の輝度を調整するという目的を達成できる。
【００２７】
図１は本発明の親子照明装置の回路構成の模式図である。
【００２８】
図１に示されるように、当該親子照明装置は、ＡＣ電源１、親機２、子機３、ＴＲＩＡＣ（トライアック）調光回路４（連動電源制御回路４）、ＭＣＵ制御回路５、検出部６（図示せず）、親機負荷７を含む。図においてポートＮ、Ｌは電気のインターフェイスピンであり、ＬＯＤ０、Ｎ０およびＬＯＤ３、Ｎ３は親機と子機の接続ピンである。前記子機は複数の子機でもよい。当該親子照明装置はさらに親機電源制御回路（図示せず）を含む。親機電源制御回路は、親機負荷７内に備えられる制御回路である。図１に示されるように、ＡＣ電源１はブレーカ１８の接続端子Ｎ２、Ｌ２を介して、親機２のＮ５、Ｌ５端子に接続し、ヒューズユニットＦＵＳＥ１を介して整流回路Ｕ２に接続することにより、親機負荷７に直流を供給する。子機３（当該子機回路は１つまたは複数、例えば１〜４台の子機を含む）はＮ３、ＬＯＤ３端子を介して親機２のＮ０、ＬＯＤ０端子に接続し、前記Ｎ０端子はヒューズユニットＦＵＳＥ２を介して親機２のＮ５端子に接続する。
【００２９】
連動電源制御回路４（つまり前記ＴＲＩＡＣ調光回路４）はＭＣＵ制御回路５が送信したＰＷＭ信号を受信し、前記ＰＷＭ信号に基づいて子機３を調節する。前記連動電源制御回路４は光カプラＵ１、抵抗Ｒ１、Ｒ２、コンデンサＣ１および双方向サイリスタＱ１により構成され、サイリスタＱ１の端子１３はヒューズユニットＦＵＳＥ１と整流回路Ｕ２とが接続する一端に接続し、抵抗Ｒ１、コンデンサＣ１に接続し、前記抵抗Ｒ１、コンデンサＣ１は干渉防止回路を構成し、サイリスタＱ１のトリガ端子Ｇおよび端子１３に接続し、双方向サイリスタＱ１の安定動作を保証し、光カプラＵ１の一次側は回路基板１２外のＭＣＵ制御回路５が出力するＰＷＭ信号端子に接続し、光カプラＵ１の発光側はそれぞれサイリスタのトリガ端子Ｇに接続し、および抵抗Ｒ２を介してサイリスタの端子１４とＬＯＤ０に接続する。
【００３０】
ＡＣ電源１から子機３までの給電経路は、ＡＣ電源のＬ端子⇒親機のＬ５端子⇒ＦＵＳＥ１⇒ＴＲＩＡＣ調光回路⇒ＬＯＤ０⇒子機のＬ端子⇒子機のＮ端子⇒ＦＵＳＥ２⇒ＡＣ電源のＮ端子である。
【００３１】
前記子機は客間または主寝室に設けられ、親機は子機の設置位置と異なる位置、例えば家の門または庭に設けられる。
【００３２】
図２は図１の検出部６の構成の模式図である。
【００３３】
図２に示されるように、当該検出部６は人感センサ９、光照度センサ１０、および制御モード選択スイッチである回転式スイッチ１１を含み、前記検出部６は親機周辺の人体活動および光線照度情報の検出に用いられる。
【００３４】
前記人感センサ９は人体活動情報を検出および感知し、前記光照度センサ１０は環境光線の強度を感知し、照度検出を行い、周囲環境光線の強弱を判断し、前記検出された人体活動情報および環境光線強度情報を親機周辺情報として子機調光の根拠とする。
【００３５】
ユーザは予め設けられた回転式スイッチ１１の設置位置により制御モードを選択し、検出部６内の人感センサ９および光照度センサ１０の少なくとも一方を結び付けて、ＭＣＵ制御回路５は検出部６が検出した人体活動情報および環境光線強度情報の少なくとも一方に基づいて、ＴＲＩＡＣ調光回路４に予め設けられた異なるデューティ比を有するＰＷＭ信号を送信し、子ランプが予め設けられた対応する制御モードに基づいて動作し、点灯、消灯、および調光操作の少なくとも一つを行うように制御し、点灯持続時間を設定し、より豊富な段階調光を実現する。当該点灯持続時間は予め設けられたソフトウェアにより予め設けられる。前記回転式スイッチ１１はタッチ式パネルまたは選択ボタンにより代替されてもよい。
【００３６】
１つの好ましい実施例において、前記人感センサ９は赤外線センサであり、人が発する熱赤外放射を用いて電気信号を発生する。
【００３７】
図２に示される前記検出部６は人感センサ９が検出した人体活動情報、および、光照度センサ１０が検出した環境光線強度情報の少なくとも一方を含む検出情報、並びに、回転式スイッチ１１の設定モード（設置位置）を、図１に示されるＭＣＵ制御回路５に送信する。なお、図１には検出部６は示されないが、検出部６は、親機２内に配置される。親機２内における検出部６の配置は特に限定されない。検出部６とＭＣＵ制御回路５との間は、通信を行うための通信経路で接続されている。前記ＭＣＵ制御回路５は検出部６が送信した人体活動情報、および環境光線強度情報の少なくとも一方に基づいて、回転式スイッチ１１の設定モードを結び付けて、ＴＲＩＡＣ調光回路４にＰＷＭ（パルス幅変調）信号を送信し、ＴＲＩＡＣ調光回路４にＯＮ／ＯＦＦ動作を行わせ、これにより子機３の調光制御を実現する。従って、例えば検出した外部ルーメン値および人体活動情報に基づいて、子機を適切に調光し、子機の出力を低減する。
【００３８】
前記ＭＣＵ制御回路５はさらに親機電源制御回路（図示せず）に前記検出情報に対応する親機制御信号を送信し、前記親機制御信号に基づいて親機を調節する。なお、図示しないが、ＭＣＵ制御回路５と、親機負荷７内の親機電源制御回路との間は、親機制御信号を送信するための通信経路で接続されている。
【００３９】
子機に対し行う調光は、子機を点灯する、子機を消灯する、子機の輝度を調節する、子機の点灯時間長を制御するという操作のうち少なくとも１つを含む。
【００４０】
親機に対し行う調光は、親機を点灯する、親機を消灯する、親機の輝度を調節する、親機の点灯時間長を制御するという操作のうち少なくとも１つを含む。
【００４１】
１つの好ましい実施例において、前記子機は位相調光モードの灯具である。前記ＴＲＩＡＣ調光回路４がＯＮ／ＯＦＦ動作を実行する場合、子機は調光点灯、すなわち輝度を低減し、例えば２５％とし、ＴＲＩＡＣ調光回路４がＯＮ動作を持続する場合、子機は１００％ＦＵＬＬ点灯し、ＴＲＩＡＣ調光回路４がＯＦＦ状態を持続する場合、子機は消灯状態である。当然、単純なＯＮ／ＯＦＦタイプの灯具を子機灯具として選択してもよい。
【００４２】
図３（ａ）は従来技術の親子照明装置の子機に印加する電圧波形である。
【００４３】
図３（ａ）に示されるように、ＭＣＵ制御回路はＯＮ／ＯＦＦ信号をＴＲＩＡＣ調光回路に出力し、ＯＦＦ信号制御状態において、ＡＣ電源はＴＲＩＡＣ調光回路を介して子機に完全な交流を印加し、子機輝度は１００％であり，ＯＮ信号制御状態において、ＴＲＩＡＣ調光回路はＯＦＦであり、これによりＡＣ電源は子機に電圧を印加しないので、子機は消灯状態であり、輝度は０％である。
【００４４】
図３（ｂ）は本発明の親子照明装置のＰＷＭ制御に基づき子機に印加する電圧波形である。
【００４５】
まず第１段階において、ＭＣＵ制御回路５はＰＷＭ制御信号パルスを出力せず、この段階は図３（ａ）に示す部分と同じであり、ここで繰り返し説明しない。
【００４６】
第２段階において、ＭＣＵ制御回路５は一連のＰＷＭ制御信号パルスを出力し、これらのパルス信号を用いてＴＲＩＡＣ調光回路４を制御する。異なるサイクル比のＰＷＭ制御信号パルスは、ＴＲＩＡＣ調光回路４の導通時間長を異ならせることにより、ＡＣ電源１により子機に印加する電圧有効値を異ならせ、これにより子機の調光を実現する。言い換えると、制御信号パルスの幅を変調することにより、ＴＲＩＡＣ調光回路４に導通角（ＯＮ周期）を調節させ、子機に印加する有効電圧値の大きさを変えることにより、子機の輝度を変え、より豊富な段階調光を実現する。
【００４７】
本発明の１つの好ましい実施例の親子照明装置によると、当該親子照明装置における子機は主に段階調光を実現し、例えば２５％または３０％などでのみ点灯する。ＴＲＩＡＣ調光回路４の動作を確保する前提で、より多くの段階調光を設けてもよい。
【００４８】
検出部６内の人感センサ９が人が存在することを検出した場合、ＭＣＵ制御回路５は低レベル信号を与えて子機の全ランプを点灯し、存在することを検出せず、かつ一定の予め定められた条件を満たすとき、ＭＣＵ制御回路５はＰＷＭ信号を与えて段階調光を行い、例えば２５％でのみ点灯する。ＭＣＵ制御回路５が高レベル信号を与えると、子機は消灯する。
【００４９】
ＭＣＵ制御回路５は検出部６内の光照度センサ１０が検出した環境光線強度情報に基づいて、段階調光を実現する。例えば、環境光線がとても暗いことを検出した場合（例えば環境輝度が５ｌｘ未満の場合），ＭＣＵ制御回路５がＴＲＩＡＣ調光回路４に送信するＰＷＭ信号は４０％デューティ比である。環境光線が少し暗いことを検出した場合（例えば環境輝度が２５ｌｘより大きい場合），ＭＣＵ制御回路５がＴＲＩＡＣ調光回路４に送信するＰＷＭ信号は２５％デューティ比である。
【００５０】
検出部６内の人感センサ９および光照度センサ１０を結び付けて、ＭＣＵ制御回路５は検出部６が検出した人体活動情報および環境光線強度情報に基づいて、段階調光を実現する。例えば、人がいることを検出した場合、環境輝度が５０ｌｘであることを検出した時、ＭＣＵ制御回路５がＴＲＩＡＣ調光回路４に送信するＰＷＭ信号は４０％デューティ比である。環境輝度が１００ｌｘであることを検出した時、ＭＣＵ制御回路５がＴＲＩＡＣ調光回路４に送信するＰＷＭ信号は２５％デューティ比である。
【００５１】
図４（ａ）、図４（ｂ）は子機多段階調光の２つの調光レベル例の模式図である。図４（ａ）、４（ｂ）に示されるように、ＭＣＵ制御回路５がＴＲＩＡＣ調光回路４に送信するＰＷＭ制御信号の違いにより、子機の電圧波形が異なり、異なる調光レベルを発生することができる。
【００５２】
好ましくは、前記ＭＣＵ制御回路５は同時にさらに親機電源制御回路（図示せず）に前記検出情報に対応するＰＷＭ親機制御信号を送信し、当該親機制御信号に基づいて親機を調節する。
【００５３】
本発明において、子機について言うと、ＭＣＵ制御回路５が異なるサイクル比のＰＷＭ信号をＴＲＩＡＣ調光回路４に送信し、ＴＲＩＡＣ調光回路４の導通時間長を異ならせることにより、位相調光を実現するが、親機は親機電源制御回路にＰＷＭ信号を送信することにより、親機調光を実現する。この時、子機および親機それぞれに送信するＰＷＭ信号のデューティ比は異なる可能性があり、ＦＵＬＬ点灯電流および段階調光電流に基づいてそれぞれ設定を行うことができる。
【００５４】
具体的には、例えば、親機の制御ポートは１７ｐｉｎであり、子機の制御ポートは２２ｐｉｎであり、ＭＣＵ制御回路５からそれぞれ当該１７ｐｉｎの制御ポートおよび当該２２ｐｉｎの制御ポートにＰＷＭ信号を送信し、かつ、それぞれ１７ｐｉｎの制御ポートに送信するＰＷＭ信号と２２ｐｉｎの制御ポートに送信するＰＷＭ信号とは異なる。例えば、両者のデューティ比が異なり、例えば全ランプ点灯モードにおいて、親機の電流は２００ｍＡであり、子機は１６０ｍＡであり、それぞれの調光特性を満たすために、親機および子機のＰＷＭ信号も異なる必要がある。
【００５５】
本発明に関する「制御モード」について、表１と結び付けて以下のように説明する。
【００５６】
表１において、モード０〜８の合計９つの制御モードがあり、ユーザが回転式スイッチ１１の位置を調節していずれかのモードを選定する場合、表１中に列挙した当該モードにおいて対応する条件に基づいて、「おかえりモード」に属するか否かを選定し、「おかえりモード」に属する場合、予め定められたおかえりモードの時間長に対応する。その後、親子照明装置は当該選定した制御モードに基づいて、人感センサ９および光照度センサ１０の少なくとも一方が検出した人体活動情報および環境光線強度情報の少なくとも一方を結び付けて、ＴＲＩＡＣ調光回路４に異なるデューティ比を有するＰＷＭ信号を送信することにより、子ランプが点灯、消灯、および調光動作の少なくとも一つを行うように制御する。
【００５７】
ここで、「おかえりモード」の時間長が４時間である場合、制御モード１が示すように、ユーザが当該制御モードを選択した後、システムに予め定められた帰宅時間（例えば夜８時）を開始してから４時間、すなわち夜１２時まで、親子照明装置は当該「おかえりモード」で動作する。
【００５８】
また、表１において、制御モード８中の「外出モード」がユーザが家を離れることを示す時、すなわち当晩または一定の日数内に家に帰らないことが分かり、また外出期間に子機が他の制御モードの設定により検出結果に基づいて自己点灯するのを望まない場合、当該「外出モード」を選択し、ＭＣＵ制御回路５に検出された光線照度情報および人体活動情報を無視させ、親ランプと子ランプが消灯状態を維持し続け検出部からの検出結果により点灯しないようにする。
【００５９】
また、表１において列挙していないが、１つの好ましい実施例において、さらに他の「外出モード」を含み、この時、システムに外出時間が予め定められ、例えば平日の午前８時であり、「外出モード」を９時間にセットした場合、夕方５時まで、親子照明装置は当該「外出モード」で動作する。当該「外出モード」において、検出した光線照度情報および人体活動情報を無視するように設定しているので、曇りにより光線が一時的に暗くなる、あるいは他の人体活動情報の誤測定などが生じやすい場合でも、子ランプおよび親ランプはこれらの検出結果により点灯することがない。そして、定められた９時間経過後、正常な「おかえりモード」または他のモードに入る。
【００６０】
本発明の少なくとも１つの制御モードは、環境光線強度情報を検出し、および人体活動情報が存在するか否かを検出して、前記ＭＣＵ制御回路は前記環境光線強度情報と予め設定された光線閾値を比較し、人体活動情報を検出し、かつ前記環境光線強度情報が設定された光線閾値内である場合、前記ＭＣＵ制御回路は予め定められた情報に応じてＰＷＭ値を調整し、前記ＴＲＩＡＣ調光回路に前記検出情報に対応する子機制御信号を送信し、子機点灯に対応する予め定められた輝度および予め定められた時間長を制御し、前記環境光線強度情報が設定された光線閾値より大きい場合、子機を点灯しない。
【００６１】
また、本発明の少なくとも１つの制御モードは、環境光線強度情報を検出し、前記ＭＣＵ制御回路は前記環境光線強度情報と予め設定された光線閾値を比較し、人体活動情報を検出したか否かに関わらず、前記環境光線強度情報値が予め設定された光線閾値内である場合、前記ＭＣＵ制御回路は予め定められた情報に応じてＰＷＭ値を調整し、前記ＴＲＩＡＣ調光回路に前記検出情報に対応する子機制御信号を送信し、子機点灯に対応する予め定められた輝度および予め定められた時間長を制御し、前記環境光線強度情報が設定された光線閾値より大きい場合、子機を点灯しない。
【００６２】
また、前記少なくとも１つの制御モードは、人体活動情報が存在するか否かを検出し、人体活動情報を検出した場合、前記ＭＣＵ制御回路は予め定められた情報に応じてＰＷＭ値を調整し、前記ＴＲＩＡＣ調光回路に前記検出情報に対応する子機制御信号を送信し、子機点灯に対応する予め定められた輝度および予め定められた時間長を制御する。
【００６３】
表１はおかえりモードおよび外出モードを有する子ランプスマート制御設定モードの具体的実施例である。
【００６４】
表１に示されるように、予め定められた回転式スイッチ１１の９段設置位置に応じて、環境光線強度情報の明暗、および人感センサ９が人体活動情報を検出したか否かと結び付けて、本発明の親子照明装置は以下の数種類の制御モードを有する。
【００６５】
制御モード０：この制御モードは「おかえりモード」を含まない。回転式スイッチ１１選択位置が「０」である場合、この時、人感センサ９が人体活動情報を検出し、かつ前記環境光線強度情報が５ｌｘ未満である場合、ＭＣＵ制御回路５は低レベル信号を与えて、親機および連動する子機はいずれも１００％点灯し、点灯（ＯＮ）を１分間維持した後、人体活動情報を検出できない場合、親機および連動する子機はいずれも消灯（ＯＦＦ）する。人感センサ９は人体活動情報の有無を連続して検出するので、親機および連動する子機が１００％点灯を１分間維持した後、依然として人体活動情報を検出できる場合、１００％点灯を１分間継続して維持する。１００％点灯を１分間維持した後、人体活動情報を検出できない時、親機および連動する子機がいずれも消灯（ＯＦＦ）するまで、これを繰り返す。消灯後の親子照明装置は、人感センサ９が再度人体活動情報を検出した時も、再度１００％点灯する。
【００６６】
人感センサ９が人体活動情報を検出しても、前記環境光線強度情報が５ｌｘより大きい場合親機および連動する子機はいずれも消灯状態を維持する。
【００６７】
制御モード１：このモードは「おかえりモード」を含み、おかえりモードの設定時間長は４時間であり、当該制御モードの運転は光照度センサ１０の感知情報および人感センサ９の感知情報が必要である。回転式スイッチ１１選択位置が「１」である場合、前記環境光線強度情報が５ｌｘ未満である場合、ＭＣＵ制御回路５はＴＲＩＡＣ調光回路４にデューティ比が２５％であるＰＷＭ信号を送信し、親機および連動する子機がいずれも３０％点灯（ＯＮ）し維持し続け、当該「おかえりモード」により設定された時間長４時間内のいずれかの時点で、人感センサ９が人体活動情報を検出した場合、ＭＣＵ制御回路５は低レベル信号を与え、親機および連動する子機を３０％点灯から１００％点灯に調光し、１００％点灯を１分間維持した後、依然として人体活動情報を検出できる場合、１００％点灯を１分間継続して維持し、１分間連続点灯後、人体活動情報を検出できない場合、ＭＣＵ制御回路５がＴＲＩＡＣ調光回路４にデューティ比が２５％であるＰＷＭ信号を送信し、親機および連動する子機を３０％点灯に調光し、「おかえりモード」により定められた時間長４時間が終了するまで維持し続ける。
【００６８】
「おかえりモード」により定められた時間長４時間が終了する場合、親子照明装置は「おかえりモード」を退出し、光照度センサ１０および人感センサ９の検出結果の如何に関わらず、親機および連動する子機はいずれも消灯状態（ＯＦＦ）を維持する。
【００６９】
制御モード２：この制御モードは「おかえりモード」を含み、おかえりモードの設定時間長は８時間であり、当該制御モードの運転は光照度センサ１０の感知情報および人感センサ９の感知情報に基づく。回転式スイッチ１１選択位置が「２」である場合、前記環境光線強度情報が５ｌｘ未満で、ＭＣＵ制御回路５がＴＲＩＡＣ調光回路４に送信するＰＷＭ信号が２５％デューティ比である場合、親機および連動する子機がいずれも３０％点灯（ＯＮ）し維持し続け、当該「おかえりモード」により設定された時間長８時間内のいずれかの時点で、人感センサ９が人体活動情報を検出した場合、ＭＣＵ制御回路５は低レベル信号を与え、親機および連動する子機を３０％点灯から１００％点灯に調光し、１００％点灯を１分間維持した後、依然として人体活動情報を検出できる場合、１００％点灯を１分間継続して維持し、１分間連続点灯後、人体活動情報を検出できない場合、ＭＣＵ制御回路５がＴＲＩＡＣ調光回路４にデューティ比が２５％であるＰＷＭ信号を送信し、親機および連動する子機を３０％点灯に調光し、「おかえりモード」により定められた時間長８時間が終了するまで維持し続ける。
【００７０】
「おかえりモード」により定められた時間長８時間が終了する場合、親子照明装置は「おかえりモード」を退出し、光照度センサ１０および人感センサ９の検出結果の如何に関わらず、親機および連動する子機はいずれも消灯状態（ＯＦＦ）を維持する。
【００７１】
制御モード３：この制御モードは「おかえりモード」を含まない。回転式スイッチ１１選択位置が「３」である場合、この時、人感センサ９が人体活動情報を検出し、かつ前記環境光線強度情報が２５ｌｘ未満である場合、ＭＣＵ制御回路５は低レベル信号を与えて、親機および連動する子機はいずれも１００％点灯し、点灯（ＯＮ）を１分間維持した後、人体活動情報を検出できない場合、親機および連動する子機はいずれも消灯（ＯＦＦ）する。人感センサ９は人体活動情報の有無を連続して検出するので、親機および連動する子機が１００％点灯を１分間維持した後、依然として人体活動情報を検出できる場合、１００％点灯を１分間継続して維持する。１００％点灯を１分間維持した後、人体活動情報を検出できない時、親機および連動する子機がいずれも消灯（ＯＦＦ）するまで、これを繰り返す。消灯後の親子照明装置は、人感センサ９が再度人体活動情報を検出した時も、再度１００％点灯する。
【００７２】
人感センサ９が人体活動情報を検出しても、前記環境光線強度情報が２５ｌｘより大きい場合、親機および連動する子機はいずれも消灯状態を維持する。
【００７３】
制御モード４：この制御モードは「おかえりモード」を含み、おかえりモードの設定時間長は４時間であり、当該制御モードの運転は光照度センサ１０の感知情報および人感センサ９の感知情報に基づく。回転式スイッチ１１選択位置が「４」である場合、前記環境光線強度情報が２５ｌｘ未満である場合、ＭＣＵ制御回路５はＴＲＩＡＣ調光回路４にデューティ比が１５％であるＰＷＭ信号を送信し、親機および連動する子機がいずれも２０％点灯（ＯＮ）し維持し続け、当該「おかえりモード」により設定された時間長４時間内のいずれかの時点で、人感センサ９が人体活動情報を検出した場合、ＭＣＵ制御回路５は低レベル信号を与え、親機および連動する子機を３０％点灯から１００％点灯に調光し、１００％点灯を１分間維持した後、依然として人体活動情報を検出した場合、１００％点灯を１分間継続して維持し、１分間連続点灯後、人体活動情報を検出できない場合、ＭＣＵ制御回路５がＴＲＩＡＣ調光回路４にデューティ比が１５％であるＰＷＭ信号を送信し、親機および連動する子機を２０％点灯に調光し、「おかえりモード」により定められた時間長４時間が終了するまで維持し続ける。
【００７４】
「おかえりモード」により定められた時間長４時間が終了する場合、親子照明装置は「おかえりモード」を退出し、光照度センサ１０および人感センサ９の検出結果の如何に関わらず、親機および連動する子機はいずれも消灯状態（ＯＦＦ）を維持する。
【００７５】
制御モード５：この制御モードは「おかえりモード」を含み、おかえりモードの設定時間長は８時間であり、当該制御モードの運転は光照度センサ１０の感知情報および人感センサ９の感知情報に基づく。回転式スイッチ１１選択位置が「５」である場合、前記環境光線強度情報が２５ｌｘ未満である場合、ＭＣＵ制御回路５はＴＲＩＡＣ調光回路４にデューティ比が１５％であるＰＷＭ信号を送信し、親機および連動する子機がいずれも２０％点灯（ＯＮ）し維持し続け、当該「おかえりモード」により設定された時間長４時間内のいずれかの時点で、人感センサ９が人体活動情報を検出した場合、ＭＣＵ制御回路５は低レベル信号を与え、親機および連動する子機を２０％点灯から１００％点灯に調光し、１００％点灯を１分間維持した後、依然として人体活動情報を検出できる場合、１００％点灯を１分間継続して維持し、１分間連続点灯後、人体活動情報を検出できない場合、ＭＣＵ制御回路５がＴＲＩＡＣ調光回路４にデューティ比が１５％であるＰＷＭ信号を送信し、親機および連動する子機を２０％点灯に調光し、「おかえりモード」により定められた時間長８時間が終了するまで維持し続ける。
【００７６】
「おかえりモード」により定められた時間長８時間が終了する場合、親子照明装置は「おかえりモード」を退出し、光照度センサ１０および人感センサ９の検出結果の如何に関わらず、親機および連動する子機はいずれも消灯状態（ＯＦＦ）を維持する。
【００７７】
制御モード６〜７：この制御モードは「おかえりモード」を含まない。回転式スイッチ１１選択位置が「６」、「７」のいずれかである場合、環境明暗に関わらず、人体活動情報を検出した場合、ＭＣＵ制御回路５はＴＲＩＡＣ調光回路４に低レベル信号を送信し、親機および連動する子機がいずれも１００％点灯（ＯＮ）し、１００％点灯を５秒間維持した後、人体活動情報を検出できない場合、ＭＣＵ制御回路５は高レベル信号を与え、親機および連動する子機がいずれも消灯（ＯＦＦ）する。
【００７８】
人感センサ９は人体活動情報の有無を連続して検出するので、親機および連動する子機が１００％点灯を５秒間維持した後、依然として人体活動情報を検出できる場合、１００％点灯を５秒間継続して維持する。１００％点灯を５秒間維持した後、人体活動情報を検出できない時、親機および連動する子機がいずれも消灯（ＯＦＦ）するまで、これを繰り返す。消灯後の親子照明装置は、人感センサ９が再度人体活動情報を検出した時も、再度１００％点灯するように、何度も繰り返す。
【００７９】
制御モード８：当該制御モードはすでに前記で説明しているので、ここで繰り返し説明しない。
【００８０】
【表１】
2019212626.tif 000003
【００８１】
以上、表１と結び付けて、本発明の実施例のそれぞれの制御モードについて説明したが、注意すべきは、本発明の実施例中のそれぞれの数値は例示に過ぎず、おかえりモードの時間長、光照度検出条件、ＰＷＭ制御信号のデューティ比、点灯持続時間などのパラメーターは、本発明を限定するものではなく、いずれも親子照明装置の回路最適化設計および製品ユーザの必要に応じて、適切に調整および変更できる。
【００８２】
本発明の技術形態によると、ＬＥＤの調光技術に基づき、照明装置自体の内蔵するＭＣＵ制御回路（マイクロコントローラ）５およびＴＲＩＡＣ調光回路４を用いて、連続して照明装置輝度を安定して調整する目的を実現できる。
【００８３】
さらに、本発明の技術形態によると、親機に設けられた人感センサが感知した人体活動情報、および親機に設けられた環境光線センサが感知した外部光線照度情報に基づいて、子機の照明、および子機の輝度調整のオン／オフを連動して制御でき、自然光／人の有無などの情報に充分に基づいて省エネを実現し、エネルギー消耗を減少し、照明灯具の対応する使用寿命を伸ばすことができる。
【００８４】
当業者にとって、前記の各実施の形態において、読者が本願をより十分に理解できるように多くの技術的詳細を提示することができると理解できる。しかし、これらの技術的詳細および前記の各実施の形態に基づく各種変更および修正がなくても、基本的に本願の各請求項が保護を請求する技術形態を実現できる。従って、実際の応用において、形式的および詳細な前記実施の形態に対する各種変更は、本発明の趣旨および範囲を逸脱しない。
【符号の説明】
【００８５】
２  親機
３  子機
４  連動電源制御回路
５  ＭＣＵ制御回路
６  検出部
９  人感センサ
１０  光照度センサ
１１  回転式スイッチ
【図１】
2019212626.tif 000004
【図２】
2019212626.tif 000005
【図３（ａ）】
2019212626.tif 000006
【図３（ｂ）】
2019212626.tif 000007
【図４（ａ）】
2019212626.tif 000008
【図４（ｂ）】
2019212626.tif 000009